(57)【要約】【課題】液体を収容した容器に対する粉体の供給に際して、常時、確実に所定の粉体が供給できるようにすること。【解決手段】粉体（Ｐ）を供給するフィーダー（２）、前記フィーダー（２）からの粉体（Ｐ）を排出供給するロータリーバルブ（３）、前記ロータリーバルブ（３）の下部に接続された正圧室（４）、前記正圧室（４）にガス（Ｇ）を供給するように接続されたガス供給源（７）、前記正圧室（４）の下部に接続されたボールバルブ（５）、及び前記ボールバルブ（５）に連設された、前記容器（１）に粉体（Ｐ）を供給するための取り付け部（６）からなる。【選択図】図１
0003156119.tif 000002
【実用新案登録請求の範囲】
【請求項１】
液体（Ｌ）が収容された容器（１）に対して所定量の粉体（Ｐ）を供給する粉体供給装置であって、
粉体（Ｐ）を供給するフィーダー（２）、
前記フィーダー（２）からの粉体（Ｐ）を排出供給するロータリーバルブ（３）、
前記ロータリーバルブ（３）の下部に接続された正圧室（４）、
前記正圧室（４）にガス（Ｇ）を供給するように接続されたガス供給源（７）、
前記正圧室（４）の下部に接続されたボールバルブ（５）、及び
前記ボールバルブ（５）に連設された、前記容器（１）に粉体（Ｐ）を供給するための取り付け部（６）、
とから構成されていることを特徴とする粉体供給装置。
【請求項２】
前記ガス供給源（７）の前記ガス（Ｇ）は、窒素ガス（ＮＧ）であり、前記正圧室（４）を大気圧よりも高い所定の正圧に維持するように構成されていることを特徴とする請求項１の粉体供給装置。
【請求項３】
前記取り付け部（６）には、前記粉体（Ｐ）を含むガス（Ｇ）の排出流速を高めるように小径の排出口（６Ａ）が設けられていることを特徴とする請求項１又は請求項２の粉体供給装置。
【考案の詳細な説明】
【技術分野】
【０００１】  本考案は、液体が収容された容器に対して所定量の粉体を供給する粉体供給装置に関する。
【背景技術】
【０００２】  容器１に収容された液体Ｌ、例えば、溶剤としてのエタノールに対して粉体Ｐ、例えば、顔料（酸化チタン等）を所定量混合させ、インクを製造したい場合、図２に示すように、容器１（反応槽）に対してフィーダー２から粉体Ｐを所定量供給する装置が必要となる。そのために、フィーダー２からの粉体ＰにガスＮＧ（例えば窒素ガス）を使用して移送し、バルブ３を開き、それによって定量を容器１に送り込むようにしていた。尚、容器１の液体Ｌと粉体Ｐには、目的に応じて、攪拌混合或いは、熱処理等のその粉体、液体の目的に応じた爾後プロセスが適用される。【０００３】  こうした粉体供給装置の技術としては、例えば、次の技術が挙げられる。
【特許文献１】特許公表２００４−５２４３８６。
【考案の開示】
【考案が解決しようとする課題】
【０００４】  上記の従来の粉体供給装置によれば、バルブ３からガスを用いて送り出された所定量の粉体Ｐは、容器１の入り口から内部へ投入されることになるが、容器１の内部の液体Ｌのエタノールが気化し、内部に充満していると、これが容器１の粉体Ｐの入り口の周辺を湿潤させ、更に上昇して供給管の内部、バルブ３からフィーダー２に達し、その結果、ここに粉体Ｐが付着し易くなって暫時堆積して粉体Ｐの投入供給を阻害する事態が発生し、所望の定量供給がスムースに行い難いという問題が生じていた。勿論、収容液体Ｌがエタノールでなく、他の液体であっても、そのベーパーが存在する以上、同様の問題が生じていた。【０００５】  本考案は、かかる問題点に鑑み、液体を収容した容器に対する粉体の供給に際して、常時、確実に所定の粉体が供給できるようにすることを目的とする。
【課題を解決するための手段】
【０００６】  本考案にかかる粉体供給装置は、上記目的を達成するために、
液体（Ｌ）が収容された容器（１）に対して所定量の粉体（Ｐ）を供給する粉体供給装置であって、
粉体（Ｐ）を供給するフィーダー（２）、
前記フィーダー（２）からの粉体（Ｐ）を排出供給するロータリーバルブ（３）、
前記ロータリーバルブ（３）の下部に接続された正圧室（４）、
前記正圧室（４）にガス（Ｇ）を供給するように接続されたガス供給源（７）、
前記正圧室（４）の下部に接続されたボールバルブ（５）、及び
前記ボールバルブ（５）に連設された、前記容器（１）に粉体（Ｐ）を供給するための取り付け部（６）、
からなることを特徴とする。【０００７】  本考案に言う粉体Ｐとは、例えば、酸化チタン、顔料、その他で、食品、医薬品、化粧品等に用いられるものである。
同様に、本考案に言う液体Ｌとは、エタノール、その他の溶剤等で、前記粉体Ｐを、溶解し、或いは混練するためのものである。
【考案の効果】
【０００８】  本考案にかかる粉体供給装置によれば、従前のロータリーバルブとボールバルブとの間に正圧室を敷設し、前記ボールバルブを開いた時に、内部のガスと供に粉体を容器に排出させて、前記取り付け部の投入口には、常に容器内方向への排出圧力が作用するように構成したことで、容器内部の液体のベーパーが逆流して前記取り付け部の投入口或いはロータリーバルブに付着堆積し、粉体の移送を阻害したり、或いは阻止したりする虞を無くし、常時定量供給を確実に行い得ることができる利点がある。
本考案にかかるその他の利点は、以下の説明から明らかとなろう。
【考案を実施するための形態】
【０００９】  本考案においては、前記ガス供給源（７）の前記ガス（Ｇ）は、窒素ガス（ＮＧ）であり、前記正圧室（４）を容器１よりも高い所定の正圧に維持するように構成されていることが好ましい。
このように不活性の窒素ガス（ＮＧ）を用いることで、容器（１）の液体（Ｌ）或いは移送される粉体（Ｐ）に対する影響を無くすることができ、同時に、一般の空気と異なり、水分含有がないことから、より一層、本願考案の目的達成に好適である。尚、窒素ガスに代えて、一般の空気を用いてもよく、その際には、好ましくは除湿器等を用いるようにする。
【００１０】  また、前記取り付け部（６）には、前記粉体（Ｐ）を含むガス（Ｇ）の排出流速を高めるように小径の排出口（６Ａ）が設けられていることが好ましい。
このように構成することで、前記正圧室（４）の圧力を高くしなくても、前記排出口（６Ａ）から排出されるガス（Ｇ）と粉体（Ｐ）の排出速度を高くして、排出口（６Ａ）への逆流を確実に阻止できると供にその、排出口（６Ａ）の周辺での付着堆積を防止することができる。このことは、正圧室４を容器１よりも高い圧力にするためのガスの所要量を少なくすることができることを意味する。
【実施例】
【００１１】  本考案にかかる粉体供給装置の好適実施例について、図面に基づいて以下詳述する。この実施例では、インクを製造する場合にいついて述べる。
図１に示すように、この粉体供給装置は、液体Ｌ、ここでは、エタノールが収容された容器１、ここではドラム缶（２００リットル容量のもの）に対して、所定量の粉体Ｐである顔料としての酸化チタンを供給するものである。【００１２】  前記粉体Ｐを収容したタンク８（テーブルフィーダーで定量排出できる）に、この粉体Ｐを供給するためのスクリュー型のフィーダー２が連設されている。
このフィーダー２から粉体Ｐを受け止めるホッパー９が設けられている。このホッパー９の下部には、前記粉体Ｐを、排出供給するロータリーバルブ３（逆弁機能として）が設けられている。このロータリーバルブ３は、モーターで駆動され、所期の量の粉体Ｐを十分排出する能力を持ったものである。【００１３】  そして、前記ロータリーバルブ３の下部には、正圧室４が設けられている。この正圧室４には、ガスＧ、ここでは窒素ガスＮＧを供給するようにガス供給源７が接続されている。図１において、１０は、風量計で、１１は、バルブ、１２は、正圧室４の内圧を表示する圧力計を示す。
ここでは、前記窒素ガスＮＧは、１ｍ３／ｍｉｎで供給されており、前記正圧室４は、容器１よりも高い所定の正圧とされているが、対象となる粉体Ｐの種類に応じて、適宜の圧力に設定される。【００１４】  また、前記正圧室４の下部にはボールバルブ５が接続されており、前記容器１への粉体Ｐの供給の開閉操作を行う。このボールバルブ５には取り付け部６が連設されており、前記容器１に粉体Ｐを供給する。
そして、前記取り付け部６には、前記粉体Ｐを含むガスＧの排出流速を高めるように小径の排出口６Ａ（正圧室の内径に比較した小径）が設けられている。即ち、絞りの構造が採用され、結果として、前記正圧室４の内圧が大気圧よりも高くする役割を果している。
前記容器１には、その換気用開口１Ａには、図示省略するが簡易集塵機（例えば、掃除機）が接続され、容器１の内部のベイパーが換気できるようにされている。【００１５】  従って、前記ロータリーバルブ３から所定量排出された粉体Ｐは、前記正圧室４に至って、そこに供給されている窒素ガスＮＧによって運ばれ、下方のボールバルブ５を経て、取り付け部６の小径の排出口６Ａから容器１に供給されることになる。この際、前記容器１の内部は、その収容液体Ｌのベーパーが充満していて多少圧力が上昇しているが、前記正圧室４は、小径の排出口６Ａによって絞られていて、圧力が高く設定されているため、上述のベーパーの逆流が発生せず、前期ボールバルブ５、ロータリーバルブ３が湿潤して粉体Ｐの付着、堆積を招く虞を未然に回避できるのである。これにより、常に所定量の粉体Ｐの容器１への供給が可能となる。
【産業上の利用分野】
【００１６】  本考案にかかる粉体供給装置によれば、液体を収容した容器に対する粉体供給の定量供給を、常に、確実に行い得るので、各種の液体、粉体混練の業種に対して適応できるものである。
【図面の簡単な説明】
【００１７】
【図１】本考案にかかる粉体供給装置の全体の概略正面図。
【図２】従来技術にかかる粉体供給装置の全体の概略正面図。
【符号の説明】
【００１８】  １：容器
２：フィーダー
３：ロータリーバルブ
４：正圧室
５：ボールバルブ
６：取り付け部
７：ガス供給源
Ｐ：粉体
Ｇ：ガス
ＮＧ：窒素ガス
【図１】
0003156119.tif 000003
【図２】
0003156119.tif 000004